(57)【要約】      （修正有）【課題】使用環境の変化に応じて、プラグ間の柔軟な変更が可能な伝送プラグ接続構造を提供する。【解決手段】伝送プラグ接続構造は、少なくとも一側辺において、第１フレキシブル接続線３の第１端３１に接続する第１プラグ１と、少なくとも一側辺において、第１フレキシブル接続線の第２端３２に接続する第２プラグ２と、を含む。第１フレキシブル接続線により第１プラグと第２プラグ間を連結することで、臨時に接続を要する時に第２プラグを探す面倒を回避でき、且つ第１フレキシブル接続線の柔軟特性により、プラグ間の柔軟な変更を可能にする。【選択図】図２
0003189646.tif 000002
【実用新案登録請求の範囲】
【請求項１】
少なくとも一側辺において、第１フレキシブル接続線に接続する第１端と、
少なくとも一側辺において、該第１フレキシブル接続線に接続する第２端と、
を含む伝送プラグ接続構造。
【請求項２】
前記第１プラグ及び該第１フレキシブル接続線の第１端の該接続は、着脱可能な接続である請求項１に記載の伝送プラグ接続構造。
【請求項３】
前記第２プラグ及び該第１フレキシブル接続線の第２端の該接続は、着脱可能な接続である請求項１に記載の伝送プラグ接続構造。
【請求項４】
前記第１プラグ及び該第１フレキシブル接続線の第１端の着脱可能な活動的接続は、該第１フレキシブル接続線の第１端により該第１プラグに繋ぎ止められる請求項２に記載の伝送プラグ接続構造。
【請求項５】
前記第２プラグ及び該第１フレキシブル接続線の第２端の着脱可能な活動的接続は、該第１フレキシブル接続線の第２端により該第２プラグに繋ぎ止められる請求項３に記載の伝送プラグ接続構造。
【請求項６】
前記第１プラグ及び該第１フレキシブル接続線の第１端の着脱可能な活動的接続は、該第１プラグの側辺に貫通孔を設け、該第１フレキシブル接続線の第１端に該貫通孔よりやや大きな該貫通孔の係止ヘッドを設け、該係止ヘッドは、材質の軟靱性を利用し、該貫通孔に押し込まれて係合を形成する請求項２に記載の伝送プラグ接続構造。
【請求項７】
前記第２プラグ及び該第１フレキシブル接続線の第２端の着脱可能な活動的接続は、該第２プラグの側辺に貫通孔を設け、該第１フレキシブル接続線の第２端に該貫通孔よりやや大きな該貫通孔の係止ヘッドを設け、該係止ヘッドは、材質の軟靱性を利用し、該貫通孔に押し込まれて係合を形成する請求項３に記載の伝送プラグ接続構造。
【考案の詳細な説明】
【技術分野】
【０００１】
本考案は、伝送プラグ接続構造の改良に関し、特に、２つ以上の伝送プラグに対し活動的に接続する伝送プラグ接続構造に関する。
【背景技術】
【０００２】
情報産業及び製品が徐々に普及したことにより、多くの電子データ又は情報が往々にして１つの装置からもう１つの装置へ転移する必要があり、この時、伝送線材又はアダプタを介する必要があり、或いは、伝送線にアダプタを加え、情報伝送の媒介とし得る。同時に、更に、電源供給の媒介とし得る。但し、各メーカーの間は、往々にして互換性に欠き、規格を統一することが困難になっている。
【０００３】
例えば、Ａ装置（例えば、ＡメーカーＡ規格のカメラ）について、使用者が伝送線によりそのデータをＢ装置（例えば、ＢメーカーＢ規格のパソコン）に伝送し、Ａ装置に付属する伝送線のリモート端子がＢ装置に予め設けられるスロットと適合できない場合、この時、伝送線リモート端子と適合し、同時に、Ｂ装置が予め設けるスロットと適合する第１アダプタが必要である。但し、更に、Ｃ装置（例えば、ＣメーカーＣ規格のパソコン）があれば、該第１アダプタを適応することが困難であるので、更に第２アダプタを有して接続する必要がある。但し、該第２アダプタは、予備に属し得るので、使用しない時、それをその他の位置に放置し、使用時、しばしば見つからなくなる困難が生じる。
【０００４】
従って、考案者は、特許文献１の米国特許第US 7,473,141 B2号、及び特許文献２の台湾発明専利第I307193号において、２つのサイドアームを有し且つ第１枢着部を設ける絶縁殻体と、該絶縁殻体中にそれぞれ対応して結合し、且つ相互に電気的に連通する第１、第２コネクタと、移動可能に該絶縁殻体と組み付けられ、且つ前端に該第２コネクタと相互に突き合わせ接合する第３コネクタを設ける信号プラグと、を含み、該信号プラグ側縁が内向きに滑動溝を凹設し、該第１枢着部に対応する複合式マルチタイプの簡易アダプタを開示している。
【先行技術文献】
【特許文献】
【０００５】
【特許文献１】米国特許第(USP)7,473,141 B2号明細書
【特許文献２】台湾発明専利第I307193号公報
【特許文献３】登録実用新案第3047888号公報
【考案の概要】
【考案が解決しようとする課題】
【０００６】
これら先行技術の絶縁殻体は、２つのサイドアームを延伸し、各サイドアームが更に、第１枢着部を設け、該２つの第１枢着部は、更に信号プラグの滑動溝において滑動を行うことができるので、該絶縁殻体は、２つのサイドアームにより該２つの滑動溝において直線往復運動し、信号プラグとの遠近を変化することができ、従って、信号プラグを使用しない時、滑動移動を提供することができ、且つ異なる方向へ回転することができ、信号プラグを単独使用することができ、アダプタを取り外す必要がないが、該絶縁殻体及び該信号プラグの活動は、有限であり、適用において、更に柔軟に、周囲の使用環境の変化に応じることができない。
【課題を解決するための手段】
【０００７】
先行技術の問題に鑑み、本考案の考案者は、改善された構造を有するべきであると認識し、伝送プラグ接続構造の改良を設計しており、それは、少なくとも一側辺において、第１フレキシブル接続線の第１端に接続する第１プラグと、少なくとも一側辺において、該第１フレキシブル接続線の第２端に接続する第２プラグと、を含む。
すなわち、請求項１の考案は、伝送プラグ接続構造において、少なくとも一側辺において、第１フレキシブル接続線に接続する第１端と、少なくとも一側辺において、該第１フレキシブル接続線に接続する第２端とを含むことを特徴とする。
【０００８】
請求項２の考案は、請求項１に記載の伝送プラグ接続構造において、前記第１プラグ及び該第１フレキシブル接続線の第１端の該接続は、着脱可能な接続であることを特徴とする。
請求項３の考案は、請求項１に記載の伝送プラグ接続構造において、前記第２プラグ及び該第１フレキシブル接続線の第２端の該接続は、着脱可能な接続であることを特徴とする。
【０００９】
請求項４の考案は、請求項２に記載の伝送プラグ接続構造において、前記第１プラグ及び該第１フレキシブル接続線の第１端の着脱可能な活動的接続は、該第１フレキシブル接続線の第１端により該第１プラグに繋ぎ止められることを特徴とする。
請求項５の考案は、請求項３に記載の伝送プラグ接続構造において、前記第２プラグ及び該第１フレキシブル接続線の第２端の着脱可能な活動的接続は、該第１フレキシブル接続線の第２端により該第２プラグに繋ぎ止められることを特徴とする。
請求項６の考案は、請求項２に記載の伝送プラグ接続構造において、前記第１プラグ及び該第１フレキシブル接続線の第１端の着脱可能な活動的接続は、該第１プラグの側辺に貫通孔を設け、該第１フレキシブル接続線の第１端に該貫通孔よりやや大きな該貫通孔の係止ヘッドを設け、該係止ヘッドは、材質の軟靱性を利用し、該貫通孔に押し込まれて係合を形成することを特徴とする。
【００１０】
請求項７の考案は、請求項３に記載の伝送プラグ接続構造において、前記第２プラグ及び該第１フレキシブル接続線の第２端の着脱可能な活動的接続は、該第２プラグの側辺に貫通孔を設け、該第１フレキシブル接続線の第２端に該貫通孔よりやや大きな該貫通孔の係止ヘッドを設け、該係止ヘッドは、材質の軟靱性を利用し、該貫通孔に押し込まれて係合を形成することを特徴とする。
【考案の効果】
【００１１】
以上述べた構成により、本考案は、前記第１フレキシブル接続線を前記第１プラグと第２プラグ間のコンタクトとし、該第２プラグに該第１プラグから離脱しない状態において、臨時に接続を要する時に該第２プラグを探す面倒を回避させる。且つ該第１フレキシブル接続線の柔軟特性により、該第２プラグに該第１プラグとの間で柔軟な変更を可能にさせることができる。
【図面の簡単な説明】
【００１２】
【図１】本考案の伝送線を組み合わせた状態における第１プラグ及び第２プラグの接続状態の接合立体説明図である。
【図２】本考案の伝送線を組み合わせた状態における第１プラグ及び第２プラグの接続状態の分離立体説明図である。
【図３】本考案の実施例及びその局部拡大説明図である。
【図４】本考案のもう１つの実施例及びその局部拡大説明図である。
【図５】本考案の第３コネクタの基礎に第２フレキシブル接続線を利用し、第４プラグと接続した説明図である。
【図６】本考案が異なる第１プラグ及び第２プラグに運用可能であることを示す説明図である。
【図７】本考案が異なる第１プラグ及び第２プラグに運用可能であることを示す説明図である。
【図８】本考案が異なる第１プラグ及び第２プラグに運用可能であることを示す説明図である。
【図９】本考案が異なる第１プラグ及び第２プラグに運用可能であることを示す説明図である。
【図１０】本考案が異なる第１プラグ及び第２プラグに運用可能であることを示す説明図である。
【図１１】本考案が異なる第１プラグ及び第２プラグに運用可能であることを示す説明図である。
【図１２】本考案の第１プラグ及び第２プラグが第５プラグに接続した状態の説明図である。
【図１３】本考案の複合プラグネットワークの説明図である。
【図１４】本考案のもう１種の複合プラグネットワークの説明図である。
【図１５】本考案のもう１種の複合プラグネットワークの説明図である。
【考案を実施するための形態】
【００１３】
本考案を更に分かり易くする為、図面の組み合わせにより、本考案の構造、特長及び実施例を説明する。
【００１４】
図１、図２を併せて参照し、本考案の伝送プラグ構造の改良は、少なくとも一側辺において、第１フレキシブル接続線３の第１端３１に接続する第１プラグ１と、少なくとも一側辺において、該第１フレキシブル接続線３の第２端３２に接続する第２プラグ２と、を含む。
【００１５】
図に示すように、該第１プラグ１が伝送線４に接続し、該伝送線４の他端は、第３プラグ５に接続し、他の機器と接続させる。但し、該伝送線４は、本技術特徴に必須ではなく、他の機器との距離に応じて設置でき、該第３プラグ５を該第１プラグ１と一体に連設することもできる。該第１フレキシブル接続線３を該第１プラグ１と該第２プラグ２の間のコンタクトとし、該第２プラグ２に該第１プラグ１から離脱しない状態において、臨時に接続を要する時に該第２プラグ２を探す面倒を回避させる。且つ該第１フレキシブル接続線３の柔軟特性により、該第２プラグ２に該第１プラグ１との間で柔軟な変更を可能にさせることができる。
【００１６】
図３を参照し、図３は、第２プラグ２と該第１フレキシブル接続線３の第２端３２が着脱可能で活動的に接続された具体的図例である。本考案の好適実施例において、該第１プラグ１及び該第１フレキシブル接続線３の第１端３１の該接続は、着脱可能な接続であり、選択的に着脱させることができる。更に好適実施例において、該第２プラグ２及び該第１フレキシブル接続線３の第２端３２の該接続は、着脱可能な接続であり、選択的に着脱させることができる。
【００１７】
具体的実施例において、該第１プラグ１及び該第１フレキシブル接続線３の第１端３１は、着脱可能で活動的に接続でき、該第１フレキシブル接続線３の第１端３１により第１プラグ１に繋ぎ止め、繋ぎ止めにより更に堅固に取り付けることができる。図３は、第２プラグ２及び第１フレキシブル接続線３の第２端３２の着脱可能な活動的接続の具体図例であり（第１フレキシブル接続線３の第１端３１は、同じであるので図示を省略する）、該第１フレキシブル接続線３の第２端３２により該第２プラグ２に繋ぎ止め、繋ぎ止めにより更に堅固に取り付けることができる。
【００１８】
図４に示すように、本考案のもう１つの実施例において、該第１プラグ１及び第２プラグ２を他の形態で表す。そのうち、該第１プラグ１及び該第１フレキシブル接続線３の第１端３１の着脱可能な活動的接続は、該第１プラグ１側辺に貫通孔１１を設け、該第１フレキシブル接続線３の第１端３１に該貫通孔１１より幅がやや大きな係止ヘッド３１１を設け、該係止ヘッド３１１が材質の軟靱性を利用し、該貫通孔１１に押し込まれて係合を形成するものであり、比較的簡易な活動的着脱を提供することができる。
【００１９】
更に、好ましくは、該第２プラグ２及び該第１フレキシブル接続線３の第２端３２の着脱可能な接続は、該第２プラグ２側辺に貫通孔２１を設け、該フレキシブル接続線３の第２端３２に該貫通孔２１よりやや幅の大きな係止ヘッド３２１を設け、該係止ヘッド３２１が材質の軟靱性を利用し、該貫通孔２１に押し込まれて係合を形成するものであり、比較的簡易な活動的着脱を提供することができる。
【００２０】
図５に示すように、本考案は、基礎の前記第３プラグ５において、第２フレキシブル接続線３を利用し、図示するように、第４プラグ６と接続することもできる。
【００２１】
図６、図７、図８、図９、図１０、図１１に示すように、本考案は、それぞれ異なる第１プラグ１及び第２プラグ２として、広範囲での使用に適するようにすることができる。
【００２２】
図１２に示すように、本考案は、第１プラグ１及び第２プラグ２が第１フレキシブル接続線３により接続された基礎において、第３フレキシブル接続線８により第５プラグ７に接続し、本考案の使用態様を拡大することができる。
【００２３】
図１３に示すように、本考案は、複合のプラグネットワーク９を生成し、伝送線４に使用し、更に本考案の使用態様を拡大することができる。
【００２４】
図１４及び図１５に示すように、本考案のもう２種の複合のプラグネットワーク９Ａ及びプラグネットワーク９Ｂに更に拡大し、それぞれ伝送線４に使用し、本考案の使用態様を拡大することができる。
【００２５】
上記のように、本考案は、確実に産業利用性に適合し、且つ出願前に刊行物に見られず、公開使用されておらず、公知でなく、且つ非自明性を有し、実用新案登録要件に適合する。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２６】
１  第１プラグ
１１  貫通孔
２  第２プラグ
２１  貫通孔
３  第１フレキシブル接続線
３１  第１端
３１１  係止ヘッド
３２  第２端
３２１  係止ヘッド
４  伝送線
５  第３プラグ
６  第４プラグ
７  第５プラグ
８  第３フレキシブル接続線
９  プラグネットワーク
９Ａ  プラグネットワーク
９Ｂ  プラグネットワーク
【図１】
0003189646.tif 000003
【図２】
0003189646.tif 000004
【図３】
0003189646.tif 000005
【図４】
0003189646.tif 000006
【図５】
0003189646.tif 000007
【図６】
0003189646.tif 000008
【図７】
0003189646.tif 000009
【図８】
0003189646.tif 000010
【図９】
0003189646.tif 000011
【図１０】
0003189646.tif 000012
【図１１】
0003189646.tif 000013
【図１２】
0003189646.tif 000014
【図１３】
0003189646.tif 000015
【図１４】
0003189646.tif 000016
【図１５】
0003189646.tif 000017
【手続補正書】
【提出日】平成25年12月13日(2013.12.13)
【手続補正１】
【補正対象書類名】実用新案登録請求の範囲
【補正対象項目名】全文
【補正方法】変更
【補正の内容】
【実用新案登録請求の範囲】
【請求項１】
少なくとも一側辺において、第１フレキシブル接続線の第１端に接続する第１接続プラグと、
少なくとも一側辺において、該第１フレキシブル接続線の第２端に接続する第２接続プラグと、
を含む伝送プラグ接続構造。
【請求項２】
前記第１プラグ及び該第１フレキシブル接続線の第１端の該接続は、着脱可能な接続である請求項１に記載の伝送プラグ接続構造。
【請求項３】
前記第２プラグ及び該第１フレキシブル接続線の第２端の該接続は、着脱可能な接続である請求項１に記載の伝送プラグ接続構造。
【請求項４】
前記第１プラグ及び該第１フレキシブル接続線の第１端の着脱可能な活動的接続は、該第１フレキシブル接続線の第１端により該第１プラグに繋ぎ止められる請求項２に記載の伝送プラグ接続構造。
【請求項５】
前記第２プラグ及び該第１フレキシブル接続線の第２端の着脱可能な活動的接続は、該第１フレキシブル接続線の第２端により該第２プラグに繋ぎ止められる請求項３に記載の伝送プラグ接続構造。
【請求項６】
前記第１プラグ及び該第１フレキシブル接続線の第１端の着脱可能な活動的接続は、該第１プラグの側辺に貫通孔を設け、該第１フレキシブル接続線の第１端に該貫通孔よりやや大きな該貫通孔の係止ヘッドを設け、該係止ヘッドは、材質の軟靱性を利用し、該貫通孔に押し込まれて係合を形成する請求項２に記載の伝送プラグ接続構造。
【請求項７】
前記第２プラグ及び該第１フレキシブル接続線の第２端の着脱可能な活動的接続は、該第２プラグの側辺に貫通孔を設け、該第１フレキシブル接続線の第２端に該貫通孔よりやや大きな該貫通孔の係止ヘッドを設け、該係止ヘッドは、材質の軟靱性を利用し、該貫通孔に押し込まれて係合を形成する請求項３に記載の伝送プラグ接続構造。
【手続補正２】
【補正対象書類名】明細書
【補正対象項目名】０００７
【補正方法】変更
【補正の内容】
【０００７】
先行技術の問題に鑑み、本考案の考案者は、改善された構造を有するべきであると認識し、伝送プラグ接続構造の改良を設計しており、それは、少なくとも一側辺において、第１フレキシブル接続線の第１端に接続する第１プラグと、少なくとも一側辺において、該第１フレキシブル接続線の第２端に接続する第２プラグと、を含む。
すなわち、請求項１の考案は、伝送プラグ接続構造において、少なくとも一側辺において、第１フレキシブル接続線の第１端に接続する第１接続プラグと、少なくとも一側辺において、該第１フレキシブル接続線の第２端に接続する第２接続プラグとを含むことを特徴とする。
【手続補正書】
【提出日】平成26年1月23日(2014.1.23)
【手続補正１】
【補正対象書類名】実用新案登録請求の範囲
【補正対象項目名】全文
【補正方法】変更
【補正の内容】
【実用新案登録請求の範囲】
【請求項１】
少なくとも一側辺において、第１フレキシブル接続線の第１端に接続する第１プラグと、
少なくとも一側辺において、該第１フレキシブル接続線の第２端に接続する第２プラグと、
を含む伝送プラグ接続構造。
【請求項２】
前記第１プラグ及び該第１フレキシブル接続線の第１端の該接続は、着脱可能な接続である請求項１に記載の伝送プラグ接続構造。
【請求項３】
前記第２プラグ及び該第１フレキシブル接続線の第２端の該接続は、着脱可能な接続である請求項１に記載の伝送プラグ接続構造。
【請求項４】
前記第１プラグ及び該第１フレキシブル接続線の第１端の着脱可能な活動的接続は、該第１フレキシブル接続線の第１端により該第１プラグに繋ぎ止められる請求項２に記載の伝送プラグ接続構造。
【請求項５】
前記第２プラグ及び該第１フレキシブル接続線の第２端の着脱可能な活動的接続は、該第１フレキシブル接続線の第２端により該第２プラグに繋ぎ止められる請求項３に記載の伝送プラグ接続構造。
【請求項６】
前記第１プラグ及び該第１フレキシブル接続線の第１端の着脱可能な活動的接続は、該第１プラグの側辺に貫通孔を設け、該第１フレキシブル接続線の第１端に該貫通孔よりやや大きな該貫通孔の係止ヘッドを設け、該係止ヘッドは、材質の軟靱性を利用し、該貫通孔に押し込まれて係合を形成する請求項２に記載の伝送プラグ接続構造。
【請求項７】
前記第２プラグ及び該第１フレキシブル接続線の第２端の着脱可能な活動的接続は、該第２プラグの側辺に貫通孔を設け、該第１フレキシブル接続線の第２端に該貫通孔よりやや大きな該貫通孔の係止ヘッドを設け、該係止ヘッドは、材質の軟靱性を利用し、該貫通孔に押し込まれて係合を形成する請求項３に記載の伝送プラグ接続構造。
【手続補正２】
【補正対象書類名】明細書
【補正対象項目名】０００７
【補正方法】変更
【補正の内容】
【０００７】
先行技術の問題に鑑み、本考案の考案者は、改善された構造を有するべきであると認識し、伝送プラグ接続構造の改良を設計しており、それは、少なくとも一側辺において、第１フレキシブル接続線の第１端に接続する第１プラグと、少なくとも一側辺において、該第１フレキシブル接続線の第２端に接続する第２プラグと、を含む。
すなわち、請求項１の考案は、伝送プラグ接続構造において、少なくとも一側辺において、第１フレキシブル接続線の第１端に接続する第１プラグと、少なくとも一側辺において、該第１フレキシブル接続線の第２端に接続する第２プラグとを含むことを特徴とする。